(57)【特許請求の範囲】
【請求項１】
本体を含み、前記本体の底部四角には自在輪が固定的に取り付けられ、前記本体の前面には前方に開口する紙投入空間が設けられ、前記紙投入空間の上壁には圧迫棒が一本上下摺動可能に設けられ、前記圧迫棒によって紙を押さえつけられ、前記紙投入空間の上壁にはさらにインパクトヘッドが上下摺動可能に設けられ、前記インパクトヘッドにより紙に穴あけを行い、前記紙投入空間の上壁左部には前後対称となったスリーブが上下摺動可能に設けられ、前記スリーブの中には釘圧迫軸が摺動可能に設けられ、前記釘圧迫軸により釘を押さえつけられ、前記本体において前記紙投入空間の上方には第一動力空間と第二動力空間が設けられ、前記第一動力空間には第一動力ユニットが設けられ、前記第一動力ユニットにより前記インパクトヘッドと前記圧迫棒とは同期に昇降でき、前記第二動力空間には第二動力ユニットが設けられ、前記第二動力ユニットにより前記釘圧迫軸と前記スリーブは昇降でき、前記紙投入空間の下壁中央には第一モータが固定され、前記第一モータには回動板が一枚設けられ、前記回動板は前記紙投入空間の中で回転でき、前記回動板の中には第二モータが設けられ、前記第二モータの左側には第一歯車が固定され、前記回動板の上面には第一スライドレールによってＵ字トレイが前後摺動可能に設けられ、前記Ｕ字トレイの下端には前記第一歯車と噛み合った伝動ラックが設けられ、前記Ｕ字トレイの底部左右側にはローラが取り付けられ、前記Ｕ字トレイの左右において前後壁にはそれぞれ軸棒が設けられ、前記軸棒は蝶番を中心に回転でき、前記軸棒にはロールが連結され、前記Ｕ字トレイの両端後面にはそれぞれ電磁石が設けられ、前記電磁石により前記Ｕ字トレイは前記紙投入空間の後壁に吸着でき、前記紙投入空間の後壁には鉄片が固定され、前記鉄片は前記電磁石と前後方向において対向しており、前記紙投入空間の上壁には釘投入空間が設けられ、前記釘投入空間の中には釘収容箱が摺動可能に設けられ、前記釘収容箱の前後側には釘送出空間が対称になるように設けられ、前記釘送出空間の中には左右方向に延在する摺動棒が固定され、前記摺動棒には妨害板が摺動可能に設けられ、前記妨害板の右面と前記釘送出空間の右壁とは第一ばねによって連結され、前記釘送出空間には釘送出穴が形成され、前記釘収容箱の右方には牽引装置が設けられ、前記牽引装置により前記釘収容箱は右方へ摺動できることを特徴とする紙の穿孔製本装置。
【請求項２】
前記牽引装置は前記釘収容箱の右面に設けられた付勢台を含み、前記釘収容箱と前記付勢台との間には第二スライドレールが取り付けられ、前記第二スライドレールにより前記釘収容箱は前方へ引き出され、前記付勢台の中には前後対称となった当接板が摺動可能に設けられ、前記当接板は前記釘投入空間の下壁に固定され、前記当接板の左面と前記付勢台とは第二ばねによって連結され、前記付勢台の右面には牽引棒が固定され、前記釘投入空間の下壁にはさらに台座が固定され、前記牽引棒は前記台座を貫通し且つ前記台座と摺動可能に連結され、前記牽引棒には突起部が一つ設けられていることを特徴とする請求項１に記載の紙の穿孔製本装置。
【請求項３】
前記第一動力ユニットは前記第一動力空間の後壁に固定された第三モータを含み、前記第三モータには第二歯車が固定され、前記第一動力空間において前記第二歯車の右方には第三歯車が前後対称になるように設けられ、前後の前記第三歯車の間には第一軸が固定され、前方の前記第三歯車は前記第二歯車と噛み合っており、前記第一軸には吊り棒が回動可能に設けられ、前記吊り棒は前記第一動力空間の上壁に固定され、前記第三歯車において前記吊り棒から遠い方の側には揺動棒が設けられ、前記揺動棒は前記インパクトヘッドとヒンジを介して連結され、前記インパクトヘッドの左側には第一ラックが設けられ、前記第一動力空間の前後壁の間には第一傘歯車が回動可能に設けられ、前記第一傘歯車は前記第一ラックと噛み合っており、前記第一傘歯車は回動軸に固定され、前記回動軸は、前記第一動力空間の下壁に固定された軸座に回動可能に設けられ、前記第一傘歯車は左方へ第二傘歯車と噛み合っており、前記第二傘歯車の左側には第二軸の一端が固定され、前記第二軸の他端には第四歯車が固定され、前記第二軸は支持座に回動可能に設けられ、前記支持座は前記第一動力空間の下壁に固定され、前記第四歯車は、前記圧迫棒の前面に設けられた第二ラックと噛み合っていることを特徴とする請求項１に記載の紙の穿孔製本装置。
【請求項４】
前記第二動力ユニットは前記第二動力空間の下壁に固定された支持台座を含み、前記支持台座には第四モータが固定され、前記第四モータには付勢棒が固定され、前記付勢棒により前記圧迫棒は昇降でき、前記圧迫棒と前記支持台座とは栓によって連結され、第三ばねは前記圧迫棒において前記付勢棒に近い方の側の背面に連結され、前記第三ばねの他端は前記支持台座に固定され、前記圧迫棒は回動棒に回動可能に設けられ、前記回動棒の両端には前記釘圧迫軸がヒンジを介して連結され、前記スリーブの上端と前記釘圧迫軸とは第四ばねによって連結され、前記スリーブの下端には釘挟持装置が設けられ、前記釘挟持装置により釘を定位できることを特徴とする請求項１に記載の紙の穿孔製本装置。
【請求項５】
前記釘挟持装置は前記スリーブの下側に設けられたスリーブカバーを含み、前記スリーブカバーの中には前記スリーブに延在する第一軸棒と第二軸棒が設けられ、前記第一軸棒と前記第二軸棒とはヒンジを介して連結され、前記第一軸棒の一端は栓ピンによって前記スリーブカバーに回動可能に設けられ、前記第二軸棒の一端はスライダに設けられ、前記スライダは摺動溝に摺動可能に設けられ、前記摺動溝は前記スリーブカバーの両側に左右対称になるように形成され、前記スライダにおいて前記スリーブから遠い方の側には第五ばねが連結されていることを特徴とする請求項４に記載の紙の穿孔製本装置。
【請求項６】
前記本体の中には釘を補充できる補充空間が設けられ、前記補充空間は前記釘収容箱の左側と水平し且つ前記スリーブと対向しており、前記補充空間の中には直角棒と第三軸棒が設けられ、前記直角棒の直角部は前記補充空間に回動可能に設けられ、前記直角棒は前記第三軸棒とヒンジを介して連結され、前記第三軸棒は摺動爪に設けられ、前記摺動爪は第二スライドレールに摺動可能に設けられ、前記摺動爪において前記直角棒と対向する側には第六ばねが設けられていることを特徴とする請求項１に記載の紙の穿孔製本装置。
【発明の詳細な説明】
【技術分野】
【０００１】
本願発明は製本分野を取り上げ、特に紙の穿孔製本装置に関わる。
【背景技術】
【０００２】
日常生活において、よく紙を綴じ合わせる必要がある。しかし、現在、紙を綴じ合わせることに多く使われているのが、手動型の綴じ具であり、このような綴じ具では、綴じることしかできず、穴あけ、即ち穿孔機能を有しない。そのため、製本効率が低く、実用性に欠け、また、手動型であるため、時間と労力を費やし、また、人為的要因によって偏差が生じ、製本効果に響く。さらに、少数の紙をしか綴じ合わせられない。
【先行技術文献】
【特許文献】
【０００３】
【特許文献１】中国特許出願公開第１０１６２４１５０号明細書
【発明の概要】
【発明が解決しようとする課題】
【０００４】
上記問題を解決できる紙の穿孔製本装置を考案した。
【課題を解決するための手段】
【０００５】
本願に記載の紙の穿孔製本装置は、本体を含み、前記本体の底部四角には自在輪が固定的に取り付けられ、前記本体の前面には前方に開口する紙投入空間が設けられ、前記紙投入空間の上壁には圧迫棒が一本上下摺動可能に設けられ、前記圧迫棒によって紙を押さえつけられ、前記紙投入空間の上壁にはさらにインパクトヘッドが上下摺動可能に設けられ、前記インパクトヘッドにより紙に穴あけを行い、前記紙投入空間の上壁左部には前後対称となったスリーブが上下摺動可能に設けられ、前記スリーブの中には釘圧迫軸が摺動可能に設けられ、前記釘圧迫軸により釘を押さえつけられ、前記本体において前記紙投入空間の上方には第一動力空間と第二動力空間が設けられ、前記第一動力空間には第一動力ユニットが設けられ、前記第一動力ユニットにより前記インパクトヘッドと前記圧迫棒とは同期に昇降でき、前記第二動力空間には第二動力ユニットが設けられ、前記第二動力ユニットにより前記釘圧迫軸と前記スリーブは昇降でき、前記紙投入空間の下壁中央には第一モータが固定され、前記第一モータには回動板が一枚設けられ、前記回動板は前記紙投入空間の中で回転でき、前記回動板の中には第二モータが設けられ、前記第二モータの左側には第一歯車が固定され、前記回動板の上面には第一スライドレールによってＵ字トレイが前後摺動可能に設けられ、前記Ｕ字トレイの下端には前記第一歯車と噛み合った伝動ラックが設けられ、前記Ｕ字トレイの底部左右側にはローラが取り付けられ、前記Ｕ字トレイの左右において前後壁にはそれぞれ軸棒が設けられ、前記軸棒は蝶番を中心に回転でき、前記軸棒にはロールが連結され、前記Ｕ字トレイの両端後面にはそれぞれ電磁石が設けられ、前記電磁石により前記Ｕ字トレイは前記紙投入空間の後壁に吸着でき、前記紙投入空間の後壁には鉄片が固定され、前記鉄片は前記電磁石と前後方向において対向しており、前記紙投入空間の上壁には釘投入空間が設けられ、前記釘投入空間の中には釘収容箱が摺動可能に設けられ、前記釘収容箱の前後側には釘送出空間が対称になるように設けられ、前記釘送出空間の中には左右方向に延在する摺動棒が固定され、前記摺動棒には妨害板が摺動可能に設けられ、前記妨害板の右面と前記釘送出空間の右壁とは第一ばねによって連結され、前記釘送出空間には釘送出穴が形成され、前記釘収容箱の右方には牽引装置が設けられ、前記牽引装置により前記釘収容箱は右方へ摺動できる。
【０００６】
さらに、前記牽引装置は前記釘収容箱の右面に設けられた付勢台を含み、前記釘収容箱と前記付勢台との間には第二スライドレールが取り付けられ、前記第二スライドレールにより前記釘収容箱は前方へ引き出され、前記付勢台の中には前後対称となった当接板が摺動可能に設けられ、前記当接板は前記釘投入空間の下壁に固定され、前記当接板の左面と前記付勢台とは第二ばねによって連結され、前記付勢台の右面には牽引棒が固定され、前記釘投入空間の下壁にはさらに台座が固定され、前記牽引棒は前記台座を貫通し且つ前記台座と摺動可能に連結され、前記牽引棒には突起部が一つ設けられている。
【０００７】
さらに、前記第一動力ユニットは前記第一動力空間の後壁に固定された第三モータを含み、前記第三モータには第二歯車が固定され、前記第一動力空間において前記第二歯車の右方には第三歯車が前後対称になるように設けられ、前後の前記第三歯車の間には第一軸が固定され、前方の前記第三歯車は前記第二歯車と噛み合っており、前記第一軸には吊り棒が回動可能に設けられ、前記吊り棒は前記第一動力空間の上壁に固定され、前記第三歯車において前記吊り棒から遠い方の側には揺動棒が設けられ、前記揺動棒は前記インパクトヘッドとヒンジを介して連結され、前記インパクトヘッドの左側には第一ラックが設けられ、前記第一動力空間の前後壁の間には第一傘歯車が回動可能に設けられ、前記第一傘歯車は前記第一ラックと噛み合っており、前記第一傘歯車は回動軸に固定され、前記回動軸は、前記第一動力空間の下壁に固定された軸座に回動可能に設けられ、前記第一傘歯車は左方へ第二傘歯車と噛み合っており、前記第二傘歯車の左側には第二軸の一端が固定され、前記第二軸の他端には第四歯車が固定され、前記第二軸は支持座に回動可能に設けられ、前記支持座は前記第一動力空間の下壁に固定され、前記第四歯車は、前記圧迫棒の前面に設けられた第二ラックと噛み合っている。
【０００８】
さらに、前記第二動力ユニットは前記第二動力空間の下壁に固定された支持台座を含み、前記支持台座には第四モータが固定され、前記第四モータには付勢棒が固定され、前記付勢棒により前記圧迫棒は昇降でき、前記圧迫棒と前記支持台座とは栓によって連結され、第三ばねは前記圧迫棒において前記付勢棒に近い方の側の背面に連結され、前記第三ばねの他端は前記支持台座に固定され、前記圧迫棒は回動棒に回動可能に設けられ、前記回動棒の両端には前記釘圧迫軸がヒンジを介して連結され、前記スリーブの上端と前記釘圧迫軸とは第四ばねによって連結され、前記スリーブの下端には釘挟持装置が設けられ、前記釘挟持装置により釘を定位できる。
【０００９】
さらに、前記釘挟持装置は前記スリーブの下側に設けられたスリーブカバーを含み、前記スリーブカバーの中には前記スリーブに延在する第一軸棒と第二軸棒が設けられ、前記第一軸棒と前記第二軸棒とはヒンジを介して連結され、前記第一軸棒の一端は栓ピンによって前記スリーブカバーに回動可能に設けられ、前記第二軸棒の一端はスライダに設けられ、前記スライダは摺動溝に摺動可能に設けられ、前記摺動溝は前記スリーブカバーの両側に左右対称になるように形成され、前記スライダにおいて前記スリーブから遠い方の側には第五ばねが連結されている。
【００１０】
さらに、前記本体の中には釘を補充できる補充空間が設けられ、前記補充空間は前記釘収容箱の左側と水平し且つ前記スリーブと対向しており、前記補充空間の中には直角棒と第三軸棒が設けられ、前記直角棒の直角部は前記補充空間に回動可能に設けられ、前記直角棒は前記第三軸棒とヒンジを介して連結され、前記第三軸棒は摺動爪に設けられ、前記摺動爪は第二スライドレールに摺動可能に設けられ、前記摺動爪において前記直角棒と対向する側には第六ばねが設けられている。
【発明の効果】
【００１１】
本願発明は以下のプラス効果を有する：本願発明は、素早く紙に穿孔と製本操作を行い、人力操作を減らし、穴あけと綴じ合わせを一度切りで終え、作業工程の移送による時間の浪費と、穿孔偏差とを避けられ、また、整えた紙をＵ字トレイに固定し、自動的に製本室に送り、穿孔された紙は回転して直接に製本位置に辿着け、製本を行い、本来の人力操作と比べ、位置がズレることはないし、操作も簡単であり、普及に値する。
【図面の簡単な説明】
【００１２】
下記に図１〜５を合わせて本願発明について詳しく説明し、便利に説明するために、本願に記載の各方向を以下のように規定する：図１は本願発明の正面図であり、本願に記載の各方向は、図１における観察方向に基づくものである。
【００１３】
【図１】図１は本願発明の全体構成略図
【図２】図２は図１における左方からの断面構成略図
【図３】図３は図１におけるＢ―Ｂ方向からの断面構成略図
【図４】図４は図１におけるＣ―Ｃ方向からの断面構成略図
【図５】図５は本願発明における釘挟持装置の構成略図
【発明を実施するための形態】
【００１４】
図１〜５を参照し、本願に記載の紙の穿孔製本装置は、本体６２を含み、前記本体６２の底部四角には自在輪１３が固定的に取り付けられ、前記本体６２の前面には前方に開口する紙投入空間７１が設けられ、前記紙投入空間７１の上壁には圧迫棒３３が一本上下摺動可能に設けられ、前記圧迫棒３３によって紙を押さえつけられ、前記紙投入空間７１の上壁にはさらにインパクトヘッド２９が上下摺動可能に設けられ、前記インパクトヘッド２９により紙に穴あけを行い、前記紙投入空間７１の上壁左部には前後対称となったスリーブ４５が上下摺動可能に設けられ、前記スリーブ４５の中には釘圧迫軸１８が摺動可能に設けられ、前記釘圧迫軸１８により釘を押さえつけられ、前記本体６２において前記紙投入空間７１の上方には第一動力空間６４と第二動力空間６３が設けられ、前記第一動力空間６４には第一動力ユニット１００が設けられ、前記第一動力ユニット１００により前記インパクトヘッド２９と前記圧迫棒３３とは同期に昇降でき、前記第二動力空間６３には第二動力ユニット２００が設けられ、前記第二動力ユニット２００により前記釘圧迫軸１８と前記スリーブ４５は昇降でき、前記紙投入空間７１の下壁中央には第一モータ３８が固定され、前記第一モータ３８には回動板１０が一枚設けられ、前記回動板１０は前記紙投入空間７１の中で回転でき、前記回動板１０の中には第二モータ３５が設けられ、前記第二モータ３５の左側には第一歯車３６が固定され、前記回動板１０の上面には第一スライドレール１２によってＵ字トレイ１１が前後摺動可能に設けられ、前記Ｕ字トレイ１１の下端には前記第一歯車３６と噛み合った伝動ラック３７が設けられ、前記Ｕ字トレイ１１の底部左右側にはローラ１４が取り付けられ、前記Ｕ字トレイ１１の左右において前後壁にはそれぞれ軸棒１６が設けられ、前記軸棒１６は蝶番７３を中心に回転でき、前記軸棒１６にはロール１７が連結され、前記Ｕ字トレイ１１の両端後面にはそれぞれ電磁石１５が設けられ、前記電磁石１５により前記Ｕ字トレイ１１は前記紙投入空間７１の後壁に吸着でき、前記紙投入空間７１の後壁には鉄片７４が固定され、前記鉄片７４は前記電磁石１５と前後方向において対向しており、前記紙投入空間７１の上壁には釘投入空間７２が設けられ、前記釘投入空間７２の中には釘収容箱６７が摺動可能に設けられ、前記釘収容箱６７の前後側には釘送出空間７５が対称になるように設けられ、前記釘送出空間７５の中には左右方向に延在する摺動棒５０が固定され、前記摺動棒５０には妨害板５１が摺動可能に設けられ、前記妨害板５１の右面と前記釘送出空間７５の右壁とは第一ばね５３によって連結され、前記釘送出空間７５には釘送出穴５２が形成され、前記釘収容箱６７の右方には牽引装置５６が設けられ、前記牽引装置５６により前記釘収容箱６７は右方へ摺動できる。
【００１５】
有利なことに、前記牽引装置５６は前記釘収容箱６７の右面に設けられた付勢台７７を含み、前記釘収容箱６７と前記付勢台７７との間には第二スライドレール７９が取り付けられ、前記第二スライドレール７９により前記釘収容箱６７は前方へ引き出され、前記付勢台７７の中には前後対称となった当接板７８が摺動可能に設けられ、前記当接板７８は前記釘投入空間７２の下壁に固定され、前記当接板７８の左面と前記付勢台７７とは第二ばね５５によって連結され、前記付勢台７７の右面には牽引棒７６が固定され、前記釘投入空間７２の下壁にはさらに台座５７が固定され、前記牽引棒７６は前記台座５６を貫通し且つ前記台座５６と摺動可能に連結され、前記牽引棒７６には突起部８０が一つ設けられ、
付勢棒２３が下方へ回転すると、牽引棒７６にある突起部８０にあたり、牽引装置５６は続いて付勢棒２３により釘収容箱６７をつれて後方へ移動させ、ここで第二ばね５５は圧縮され、付勢棒２３は運動して牽引装置５６と離脱し、釘圧迫軸１８が上昇する時に、牽引装置５６は第二ばね５５によって運動し、且つ釘収容箱６７をつれてともに右方へ運動して復位する。
【００１６】
有利なことに、前記第一動力ユニット１００は前記第一動力空間６４の後壁に固定された第三モータ２６を含み、前記第三モータ２６には第二歯車２５が固定され、前記第一動力空間６４において前記第二歯車２５の右方には第三歯車２７が前後対称になるように設けられ、前後の前記第三歯車２７の間には第一軸４０が固定され、前方の前記第三歯車２７は前記第二歯車２５と噛み合っており、前記第一軸４０には吊り棒４１が回動可能に設けられ、前記吊り棒４１は前記第一動力空間６４の上壁に固定され、前記第三歯車２７において前記吊り棒４１から遠い方の側には揺動棒２８が設けられ、前記揺動棒２８は前記インパクトヘッド２９とヒンジを介して連結され、前記インパクトヘッド２９の左側には第一ラック８１が設けられ、前記第一動力空間６４の前後壁の間には第一傘歯車３０が回動可能に設けられ、前記第一傘歯車３０は前記第一ラック８１と噛み合っており、前記第一傘歯車３０は回動軸８８に固定され、前記回動軸８８は、前記第一動力空間６４の下壁に固定された軸座８９に回動可能に設けられ、前記第一傘歯車３０は左方へ第二傘歯車３１と噛み合っており、前記第二傘歯車３１の左側には第二軸３２の一端が固定され、前記第二軸３２の他端には第四歯車３４が固定され、前記第二軸３２は支持座３９に回動可能に設けられ、前記支持座３９は前記第一動力空間６４の下壁に固定され、前記第四歯車３４は、前記圧迫棒３３の前面に設けられた第二ラック８２と噛み合っており、
紙に穴あけを行うには、第三モータ２６を作動させ、第二歯車２５は駆動されて回転し、第三歯車２７を回転させ、揺動棒２８は第三歯車２７につれて揺れ動き、インパクトヘッド２９をつれて第一スライドレール１２で昇降させ、また、第一傘歯車３０は連動して回転し、第二傘歯車３１を回転させることで、第四歯車３４を回転させ、圧迫棒３３とインパクトヘッド２９とは第四歯車３４につれて同期に昇降し、圧迫棒３３が降下して紙の上面を押さえつけて固定し、続いてインパクトヘッド２９は降下して紙を穿孔する。
【００１７】
有利なことに、前記第二動力ユニット２００は前記第二動力空間６３の下壁に固定された支持台座２１を含み、前記支持台座２１には第四モータ２４が固定され、前記第四モータ２４には前記付勢棒２３が固定され、前記付勢棒２３により前記圧迫棒２０は昇降でき、前記圧迫棒２０と前記支持台座２１とは栓４３によって連結され、第三ばね２２は前記圧迫棒２０において前記付勢棒２３に近い方の側の背面に連結され、前記第三ばね２２の他端は前記支持台座２１に固定され、前記圧迫棒２０は回動棒４２に回動可能に設けられ、前記回動棒４２の両端には前記釘圧迫軸１８がヒンジを介して連結され、前記スリーブ４５の上端と前記釘圧迫軸１８とは第四ばね１９によって連結され、前記スリーブ４５の下端には釘挟持装置８０が設けられ、前記釘挟持装置８０により釘を定位でき、
製本するには、第四モータ２４を作動させ、付勢棒２３は第四モータ２４につれて回転し、付勢棒２３の一端が上げ棒２０と接触したら、上げ棒２０は付勢棒２３の回転につれ、左端が降下し且つ右端が上昇し、第三ばね２２は引っ張られ、弾力が段々強まり、上げ棒２０の左端の降下により釘圧迫軸１８も降下し、ここで第四ばね１９は圧縮され、第四ばね１９の弾力の上がりにつれ、やがてスリーブ４５も降下して紙に当たる。
【００１８】
有利なことに、前記釘挟持装置８０は前記スリーブ４５の下側に設けられたスリーブカバー４０１を含み、前記スリーブカバー４０１の中には前記スリーブ４５に延在する第一軸棒６１と第二軸棒６０が設けられ、前記第一軸棒６１と前記第二軸棒６０とはヒンジを介して連結され、前記第一軸棒６１の一端は栓ピン４０２によって前記スリーブカバー４０１に回動可能に設けられ、前記第二軸棒６０の一端はスライダ５９に設けられ、前記スライダ５９は摺動溝８７に摺動可能に設けられ、前記摺動溝８７は前記スリーブカバー４０１の両側に左右対称になるように形成され、前記スライダ５９において前記スリーブ４５から遠い方の側には第五ばね５８が連結され、
釘圧迫軸１８が第一軸棒６１に当たったら、第一軸棒６１は釘圧迫軸１８に押されて栓ピン４０２をめぐって下方へ回転し、また、第二軸棒６０は連動してスライダ５９を押して後方へ移動させ、ここで第五ばね５８は圧縮される。
【００１９】
有利なことに、前記本体６２の中には釘を補充できる補充空間３００が設けられ、前記補充空間３００は前記釘収容箱６７の左側と水平し且つ前記スリーブ４５と対向しており、前記補充空間３００の中には直角棒４６と第三軸棒４７が設けられ、前記直角棒４６の直角部は前記補充空間３００に回動可能に設けられ、前記直角棒４６は前記第三軸棒４７とヒンジを介して連結され、前記第三軸棒４７は摺動爪４８に設けられ、前記摺動爪４８は第二スライドレール４０３に摺動可能に設けられ、前記摺動爪４８において前記直角棒４６と対向する側には第六ばね４９が設けられ、
釘圧迫軸１８が降下して直角棒４６と接触したら、直角棒４６は回転して第三軸棒４７を連動させ、第三軸棒４７はスリーブ４５に接近するように移動し、且つ摺動爪４８を後方へ摺動させ、ここで第六ばね４９は圧縮される。
【００２０】
はじめに、Ｕ字トレイ１１は紙投入空間７１の中に位置し、ロール１７はＵ字トレイ１１の両側板に位置し、インパクトヘッド２９と圧迫棒３３とは底部がそれぞれ紙投入空間７１の上壁に形成された摺動空間に位置し、揺動棒２８は最高点まで揺れ動き且つインパクトヘッド２９と同じ垂直線にあり、スリーブ４５の底部は紙投入空間７１の上壁に形成された摺動空間に位置し、釘圧迫軸１８は最高点まで上昇し、上げ棒２０において釘圧迫軸１８から遠い方の端は最低点まで降下し、付勢棒２３は水平状態にあり、第三ばね２２の弾力はゼロであり、釘収容箱６７は釘を送出でき、第二ばね５５の弾力はゼロであり、スリーブカバー４０１にある第一軸棒６１はスリーブ４５の中に水平に置かれ、スライダ５９はスリーブ４５に近い方の側まで摺動し、第五ばね５８の弾力はゼロであり、補充空間３００において摺動爪４８は第二スライドレール４０３のスリーブ４５に近い方の側に位置し、第六ばね４９の弾力はゼロである。
【００２１】
作業に当たって、第二モータ３５を作動させ、Ｕ字トレイ１１の下面に設けられた伝動ラック３７は第一歯車３６によってローラ１４を連動させ、ローラ１４はＵ字トレイ１１を送出し、製本要りの紙をＵ字トレイ１１に置き、Ｕ字トレイ１１の両側のロール１７を下ろし、紙を押さえつけ、ここで第二モータ３５を逆回転させ、Ｕ字トレイ１１は紙投入空間７１に入り、電磁石１５は紙投入空間７１の後壁に吸着する。
【００２２】
穿孔するには、第三モータ２６を作動させ、第二歯車２５は駆動されて回転し、第三歯車２７を回転させ、第三歯車２７の回転により、揺動棒２８の一端は円周運動を行い、続いてインパクトヘッド２９は連動して摺動空間で昇降し、ラック８１と噛み合った第一傘歯車３０を回転させ、続いて第二傘歯車３１は連動して回転し、第四歯車３４を回転させることで、第四歯車３４は圧迫棒３３にあるラックと噛み合い、ここで圧迫棒３３は摺動空間の中でインパクトヘッド２９と同期に昇降し、穿孔後、圧迫棒３３とインパクトヘッド２９とは第三モータ２６によって紙投入空間７１の上壁に形成された摺動空間に戻る。
【００２３】
穿孔後、第一モータ３８を作動させ、電磁石１５に停電し、回動板１０は第一モータ３８により回転し、Ｕ字トレイ１１は第一スライドレール１２により回動板１０とともに回転し、Ｕ字トレイ１１が百八十度回転したら、第一モータ３８は止められ、電磁石１５は通電により紙投入空間７１の後内壁に吸着し、続いて第四モータ２４を作動させて付勢棒２３を回転させ、付勢棒２３の一端が上げ棒２０と接触したら、前記上げ棒２０は前記付勢棒２３の回転につれ、左端が降下し且つ右端が上昇し、前記第三ばね２２は引っ張られ、弾力が段々強まり、前記上げ棒２０の左端の降下により前記釘圧迫軸１８も降下し、ここで前記第四ばね１９は圧縮され、弾力の上がりにつれ、やがて前記スリーブ４５も降下して紙に当たり、また、付勢棒２３が回転して牽引装置５６と接触したら、牽引装置５６は付勢棒２３により釘収容箱６７をつれて後方へ移動させ、ここで第二ばね５５は圧縮され、また、釘圧迫軸１８は降下して直角棒４６の一端にあたり、圧力により第三軸棒４７は後方へ移動し、摺動爪４８を後方へ移動させ、ここで第四ばね４９は圧縮され、付勢棒２３の一端が最高点を通ったら、釘の押し込みを完了とし、上げ棒２０は第三ばね２２と第四ばね１９により上昇し、釘圧迫軸１８も上昇し、第四ばね１９が引っ張られたら、スリーブ４５は連動して上昇し、また、釘圧迫軸１８が上昇する時に、釘挟持装置８０にあるスライダ５９は第五ばね５８によって最も右方まで摺動し、第二軸棒６０は一端が上昇し、第一軸棒６１は再び水平状態になり、釘収容箱６７は第二ばね５５によって左方へ摺動して初期位置に戻り、また、摺動爪４８は第六ばね４９によって最も右方まで摺動し、直角棒４６は復位し、第二モータ３５を逆回転させることで、Ｕ字トレイ１１を送出し、これにて製本を完了とする。
【００２４】
以上の方式により、当該分野の技術者は本願発明の範囲内で作業状況に応じて様々な改変を加えることができる。
【要約】
【課題】本願は紙の穿孔製本装置を開示した。
【解決手段】
本願に記載の紙の穿孔製本装置は、本体を含み、前記本体の底部四角には自在輪が固定的に取り付けられ、前記本体の前面には前方に開口する紙投入空間が設けられ、前記紙投入空間の上壁には圧迫棒が一本上下摺動可能に設けられ、前記圧迫棒によって紙を押さえつけられ、前記紙投入空間の上壁にはさらにインパクトヘッドが上下摺動可能に設けられ、前記インパクトヘッドにより紙に穴あけを行い、前記紙投入空間の上壁左部には前後対称となったスリーブが上下摺動可能に設けられ、前記スリーブの中には釘圧迫軸が摺動可能に設けられ、前記釘圧迫軸により釘を押さえつけられ、前記本体において前記紙投入空間の上方には第一動力空間と第二動力空間が設けられ、前記第一動力空間には第一動力ユニットが設けられる。
【選択図】図１【図１】
0006807518.tif 000002
【図２】
0006807518.tif 000003
【図３】
0006807518.tif 000004
【図４】
0006807518.tif 000005
【図５】
0006807518.tif 000006